(57)【要約】【課題】本体に操作スイッチを備えたフォーカスコントローラーにおいて、一定のフォーカス操作範囲内では、イニシャル位置と同等の操作性を維持することが可能なフォーカスコントローラーを提供すること。【解決手段】本体に操作スイッチを備え、該本体に対して回動可能に設けられたフォーカス操作部からなるフォーカスコントローラーにおいて、操作スイッチの回動手段をフォーカス操作部と同時に保持可能な位置に有する操作スイッチ保持部と、該保持部の回動範囲を規制する回動範囲規制手段と、該保持部のイニシャル位置を決める位置決め手段を有することを特徴とする。【選択図】図１
2017097134.tif 000002
【特許請求の範囲】
【請求項１】
操作スイッチの回動手段をフォーカス操作部と同時に保持可能な位置に有する操作スイッチ保持部と、該保持部の回動範囲を規制する回動範囲規制手段と、該保持部のイニシャル位置を決める位置決め手段を有することを特徴とするフォーカスコントローラー。
【請求項２】
該操作スイッチ保持部に、フォーカス操作部との連動を容易にする回転操作手段を有することを特徴とする請求項１に記載のフォーカスコントローラー。
【請求項３】
該操作スイッチ保持部を、イニシャル位置に復帰させる復帰手段を有することを特徴とする請求項１に記載のフォーカスコントローラー。 
【請求項４】
前記復帰手段は、弾性部材であることを特徴とする請求項３に記載のフォーカスコントローラー。
【発明の詳細な説明】
【技術分野】
【０００１】
本発明は、レンズのフォーカス動作を遠隔操作にて行うフォーカス操作装置に関し、特に、オートフォーカスや防振機能のオンオフスイッチ、送り返し機能スイッチなど、フォーカス操作以外の操作装置の操作機構に関する。
【背景技術】
【０００２】
従来、放送用テレビカメラのフォーカスコントロール装置には、フォーカス操作以外にさまざまな操作機能が付加されており、特に、操作頻度の高い機能に関しては、フォーカスコントロール操作部から手を離さずに操作可能な位置に配置される。
【０００３】
図７に、従来のフォーカスコントローラーを示す。１はフォーカス操作ノブで、回転操作をアシストするピン２とフォーカス位置の目安となる指標線３が付加されており、ピン２は円周方向に３か所均等に固定されている。４はコントローラー本体、５はコントローラー本体４と操作ノブ１の連結リングで、基準ピン６が固定されており、フォーカスコントローラーは、図に示すような形で三脚に取り付けられる（取付金具等は不図示）。
【０００４】
コントローラー本体４には、操作スイッチ９が取り付けられたスイッチ台１５が、ビス１６で４か所固定されており、その固定位置は、被写体にピントが合った状態でフォーカス操作ノブ１を握ったときに最も操作しやすい配置位置となっている。７は操作スイッチなども備えられた本体のふたである。
【０００５】
以上の構成で、フォーカス操作ノブ１を握ったまま操作スイッチ９の操作を行っており、図７の配置の場合は、親指で操作している。
【０００６】
特許文献１では、オートフォーカスのエリア指定スイッチを、フォーカス操作リングの手動操作の状態で、同時に操作可能な位置に配置している。
【０００７】
特許文献２では、オートフォーカスのオンオフスイッチを、フォーカス操作リングの周辺に円周状に密に配置し、フォーカス操作リングがいかなる回転位置であっても操作可能な位置に配置している。
【先行技術文献】
【特許文献】
【０００８】
【特許文献１】特許第０４１４７４２７号公報
【特許文献２】特開２００６−２９５５０８号公報
【発明の概要】
【発明が解決しようとする課題】
【０００９】
しかしながら、上述の従来構造や特許文献１に開示された従来技術では、被写体が動きのあるものの場合、フォーカス操作は常に行われているため、固定された操作スイッチとの距離は常に変化し、ベストな状態が維持されることはない。従って、操作しにくい状態が発生してしまうことのほうが多くなってしまう。
【００１０】
特許文献２に開示された従来技術では、１つの機能に対して無数のスイッチを配置しており、構造は複雑で、かつ大幅なコストアップが生じる。また、スイッチの数が多すぎて、操作性に関しても、むしろ低下してしまう可能性のほうが高い。
【００１１】
そこで、本発明の目的は、本体に操作スイッチを備えたフォーカスコントローラーにおいて、一定のフォーカス操作範囲内では、イニシャル位置と同等の操作性を維持することが可能なフォーカスコントローラーを提供することにある。
【課題を解決するための手段】
【００１２】
上記の目的を達成するために、本発明に係るフォーカスコントローラーは、
本体に操作スイッチを備え、該本体に対して回動可能に設けられたフォーカス操作部からなるフォーカスコントローラーにおいて、操作スイッチの回動手段をフォーカス操作部と同時に保持可能な位置に有する操作スイッチ保持部と、該保持部の回動範囲を規制する回動範囲規制手段と、該保持部のイニシャル位置を決める位置決め手段を有することを特徴とする。
【発明の効果】
【００１３】
本発明によれば、本体に操作スイッチを備えたフォーカスコントローラーにおいて、一定のフォーカス操作範囲内では、イニシャル位置と同等の操作性を維持することが可能なフォーカスコントローラーを提供することができる。
【図面の簡単な説明】
【００１４】
【図１】本発明の実施例１であるフォーカスコントローラーの正面図
【図２】実施例１である正面図のＡＡ断面図
【図３】実施例１である正面図のＢＢ断面図
【図４】本発明の実施例２であるフォーカスコントローラーの正面図
【図５】実施例２であるフォーカスコントローラーの右側面図
【図６】本発明の実施例３であるフォーカスコントローラーの右側面図
【図７】従来例であるフォーカスコントローラーの正面図
【発明を実施するための形態】
【００１５】
以下に、本発明の好ましい実施の形態を、添付の図面に基づいて詳細に説明する。図１は本発明の実施形態にかかわるフォーカスコントローラーの正面図である。
【００１６】
［実施例１］
以下、図１から図３を参照して、本発明の第1の実施例によるフォーカスコントローラーの詳細構造について説明する。
【００１７】
図１において、１はフォーカス操作ノブで、回転操作をアシストするピン２とフォーカス位置の目安となる指標線３が付加されており、該フォーカス操作ノブ１を回転操作することで、レンズのフォーカス動作を行う。ピン２は、フォーカス操作ノブ１の円周方向に３か所均等に固定されている。
【００１８】
４はコントローラー本体、５はコントローラー本体４とフォーカス操作ノブ１の連結リングで、基準ピン６が固定されており、フォーカスコントローラーは、図に示すような形で三脚に取り付けられる。７は本体のふたである。８は操作スイッチ９の保持リングで、コントローラー本体４に回動可能に保持される。ここで、寸法Ｃはフォーカス操作ノブ１の幅寸法で、従来のフォーカス操作ノブの幅のおよそ半分程度としている。寸法Ｄはフォーカス操作ノブ先端から操作スイッチ保持リング８の端までの幅寸法で、この幅を従来のフォーカス操作ノブの幅相当としている。
【００１９】
図２によって、操作スイッチ保持リング８のイニシャル復帰構造について説明する。
【００２０】
図２において、操作スイッチ保持リング８は、内径部８ａが、本体４の摺動溝４ａに係合することによって、回動自在に保持されている。１０は操作スイッチ保持リング８の回転範囲規制リングで、時計回り、反時計回りそれぞれに、セットビス１１によって本体４の摺動溝４ａに係合した状態で固定できるので、操作スイッチ保持リング８の回動範囲を調整することが可能となっている。
【００２１】
１０ａは回転範囲規制リング１０のストッパ部で、操作スイッチ保持リング８の回転範囲の最大値となる。１２は圧縮バネで、それぞれの回転範囲規制リング１０と操作スイッチ保持リング８の間に組み込まれている。４ｂは操作スイッチ９の結線を基板（不図示）まで通すための、本体４にあけられた穴である。
【００２２】
図３によって、操作スイッチ保持リング８の位置決め構造について説明する。
【００２３】
図３において、１３は位置決め用のボールプランジャーで、本体４に固定されている。８ｂは操作スイッチ保持リング８にあけられた位置決め穴で、ボールプランジャー１３の角度と一致した時、ボールが穴８ｂに落ち込んで、操作スイッチ保持リング８はロックされる。
【００２４】
上記構成において、フォーカス操作ノブ１を回転操作して基準となる被写体のフォーカスをとった後、最も操作しやすい状態でフォーカス操作ノブ１を握り直す。この時、同時に操作スイッチ保持リング８の外周に指をかけることによって、フォーカス操作ノブ１と操作スイッチ保持リング８を片手で同時に握った状態になる。この状態で基準となる被写体の微小な動きに対してフォーカス操作が行えるので、フォーカス操作開始とともに操作スイッチ保持リング８のボールプランジャー１３によるロックが解除され、フォーカス操作ノブ１と連動する。
【００２５】
そして、操作スイッチ９へのアクションは、常にイニシャル位置と同じベストポジションが維持されるようになる。また、回転範囲規制リング１０による回転規制を超えるフォーカス操作を行う場合には、操作スイッチ保持リング８にかけていた指を外し、フォーカス操作ノブ１のみの操作を行う。
【００２６】
解放された操作スイッチ保持リング８は、圧縮バネ１２によってフォーカス操作と逆方向へ回転し、穴８ｂがボールプランジャー１３と同じ角度に到達した時、イニシャル位置としてロックされる。大きく操作を行ってフォーカスをとった後は、再びフォーカス操作ノブ１を最も操作しやすい状態で握り直すので、一連の操作が連続的に行うことが可能である。
【００２７】
本実施形態によれば、一定のフォーカス操作範囲内では、イニシャル位置と同等の操作性を維持することが可能なフォーカスコントローラーを提供することができるという効果がある。
【００２８】
［実施例２］
以下、図４、図５を参照して、本発明の第２の実施例による、フォーカス操作ノブとの連動を容易にする操作スイッチ保持リングの回転操作部構造について説明する。
【００２９】
１４は操作スイッチ保持リング８と一体となっている保持リング回転操作部で、操作する指の保持面１４ａと、操作中の指の第１の支え壁である１４ｂと第２の支え壁である１４ｃで構成される。
【００３０】
保持面１４ａは、より保持し易い配置の選択ができるように２つ構成されている。これは、それ以上の構成や１つの構成でもよい。その他の符号に関しては、実施例１の説明の通りである。
【００３１】
上記構成において、基準となる被写体のフォーカスをとり、最も操作しやすい状態でフォーカス操作ノブ１を握り直した後、操作スイッチ９を操作する指（ここでは親指）以外の指を保持リング回転操作部１４の保持面１４ａに置く。この状態で基準となる被写体の微小な動きに対してフォーカス操作を行うと、回転方向により第１の支え壁１４ｂまたは第２の支え壁１４ｃを指で押しながら、操作スイッチ保持リング８とフォーカス操作ノブ１は連動する。本実施形態によれば、実施例１と同様の効果がある。
【００３２】
［実施例３］
以下、図６を参照して、本発明の第３の実施例による、フォーカス操作ノブとの連動を容易にする操作スイッチ保持リングの回転操作部構造について説明する。符号に関しては、実施例１、実施例２の説明の通りであり、保持リング回転操作部１４を、親指で操作し、操作スイッチ９をそれ以外の指で操作できる配置としたものである。
【００３３】
上記構成においても実施例１、２と同様に、操作スイッチ保持リング８とフォーカス操作ノブ１を連動させながらフォーカス操作が可能となる。本実施形態によれば、実施例１と同様の効果がある。
【００３４】
以上、本発明の好ましい実施形態について説明したが、本発明はこれらの実施形態に限定されず、その要旨の範囲内で種々の変形及び変更が可能である。
【符号の説明】
【００３５】
1  フォーカス操作ノブ、2  ピン、3  指標線、4  本体、4a  摺動溝、4b  穴、
5  連結リング、6  基準ピン、7  ふた、8  操作スイッチ保持リング、8a  内径部、
8b  位置決め穴、9  操作スイッチ、10  回転範囲規制リング、10a  ストッパ部、
11  セットビス、12  圧縮バネ、13  ボールプランジャー、14  保持リング回転操作部、
14a  保持面、14b  第１の支え壁、14c  第２の支え壁、15  スイッチ台、16  ビス
【図１】
2017097134.tif 000003
【図２】
2017097134.tif 000004
【図３】
2017097134.tif 000005
【図４】
2017097134.tif 000006
【図５】
2017097134.tif 000007
【図６】
2017097134.tif 000008
【図７】
2017097134.tif 000009